(57)【要約】【課題】  防塵機能を備え安価な構造で組立容易であること。【解決手段】  ディスク載置用トレイを前後進可能に配置し光ピックアップとターンテーブルとが搭載されたトラバースシャーシを上下動可能に配置したローダーシャーシ１が上箱体１Ａと下箱体１Ｂとに上下２分割され、上箱体１Ａが天板３０と該天板３０の両側縁及び後端縁から折れ曲がって下方に延びる両側板３１，３２及び後端板３３とからなり、該上箱体１Ａの前端面にトレイ挿通口３４が形成され、下箱体１Ｂが底板３６と該底板３６の両側縁及び前後両端縁から折れ曲がって上方に延びる両側板３７，３８及び前後両端板３９，４０とからなり、該下箱体１Ｂの両側板３７，３８及び前後両端板３９，４０の上端から側方に延びる棚板５が一体形成されており、該棚板５上に上箱体１Ａが載置され、その上下両箱体１Ａ，１Ｂが連結手段２９により一体的に連結されている。【選択図】        図２
0003130309.tif 000002
【実用新案登録請求の範囲】
【請求項１】
筐体のボトムシャーシ上に脚部付きローダーシャーシがビス止めされ、該ローダーシャ
ーシにディスク載置用トレイが前後進可能に配置されると共に、そのローダーシャーシ内
のトレイの下方に光ピックアップとターンテーブルとを搭載したトラバースシャーシが上
下動可能に配置されており、プレイモードで、ターンテーブルによりディスクを高速回転
させ、該ディスクに記録されている情報を光ピックアップにより読み取るようにしたディ
スク装置において、前記ローダーシャーシが上側箱体と下側箱体とに上下２分割され、前
記上側箱体が天板と該天板の両側縁及び後端縁から折れ曲がって下方に延びる両側板及び
後端板とからなり、該上側箱体の前端面にトレイ挿通口が形成され、前記下側箱体が底板
と該底板の両側縁及び前後両端縁から折れ曲がって上方に延びる両側板及び前後両端板と
からなり、該下側箱体の両側板及び前後両端板の上端から側方に延びる棚板が一体形成さ
れ、前記上側箱体の一方側板にコ字状枠が一体突設されると共に、該コ字状枠に対向して
前記棚板に係合片が一体突設され、前記上箱体の他方側板にビス挿通孔付き上側舌片が一
体突設されると共に、該上側舌片に対向して前記棚板にねじ孔付き下側舌片が一体突設さ
れており、前記コ字状枠を係合片に係合させると共に、上下両舌片を互いに当接または接
近させることにより、棚板上に上側箱体の両側板及び後端板が載置され、上側舌片のビス
挿通孔を通って下側舌片のねじ孔にビスをねじ込むことにより、その上下両箱体が一体的
に連結され、前記棚板に複数のガイド突条が左右二列に分けて前後進方向に沿って所定間
隔ごとに一体突設され、その各ガイド突条にトレイが前後進可能に係合され、前記上側箱
体の両側板と天板との間の各角部に前後進方向に所定間隔をおいて該上側箱体内に突出す
る複数の浮き上がり防止部が設けられ、該各浮き上がり防止部の下面がトレイの両側縁上
面に接近されていることを特徴とするディスク装置。
【請求項２】
筐体のボトムシャーシ上に脚部付きローダーシャーシがビス止めされ、該ローダーシャ
ーシにディスク載置用トレイが前後進可能に配置されると共に、そのローダーシャーシ内
のトレイの下方に光ピックアップとターンテーブルとを搭載したトラバースシャーシが上
下動可能に配置されており、プレイモードで、ターンテーブルによりディスクを高速回転
させ、該ディスクに記録されている情報を光ピックアップにより読み取るようにしたディ
スク装置において、前記ローダーシャーシが上側箱体と下側箱体とに上下２分割され、前
記上側箱体が天板と該天板の両側縁及び後端縁から折れ曲がって下方に延びる両側板及び
後端板とからなり、該上側箱体の前端面にトレイ挿通口が形成され、前記下側箱体が底板
と該底板の両側縁及び前後両端縁から折れ曲がって上方に延びる両側板及び前後両端板と
からなり、該下側箱体の両側板及び前後両端板の上端から側方に延びる棚板が一体形成さ
れており、該棚板上に上側箱体の両側板及び後端板が載置され、その上下両箱体が連結手
段により一体的に連結されていることを特徴とするディスク装置。
【請求項３】
前記棚板に複数のガイド突条が左右二列に分けて前後進方向に沿って所定間隔ごとに一
体突設され、その各ガイド突条にトレイが前後進可能に係合され、前記上側箱体の両側板
と天板との間の各角部に前後進方向に所定間隔をおいて該上側箱体内に突出する複数の浮
き上がり防止部が設けられ、該各浮き上がり防止部の下面がトレイの両側縁上面に接近さ
れていることを特徴とする請求項２に記載のディスク装置。
【請求項４】
前記連結手段が、前記上側箱体の一方側板に一体突設したコ字状枠及び該コ字状枠に対
向して前記棚板に一体突設した係合片と、前記上箱体の他方側板に一体突設したビス挿通
孔付き上側舌片及び該上側舌片に対向して前記棚板に一体突設したねじ孔付き下側舌片と
を有しており、前記コ字状枠を係合片に係合させると共に、上下両舌片を互いに当接また
は接近させることにより、棚板上に上側箱体の両側板及び後端板が載置され、上側舌片の
ビス挿通孔を通って下側舌片のねじ孔にビスをねじ込むことにより、その上下両箱体が一
体的に連結されていることを特徴とする請求項２または３に記載のディスク装置。
【請求項５】
前記連結手段が、前記上側箱体の各側板から下方に延びて下側箱体の脚部に重合する延
長板を有しており、その脚部と延長板とを一体的にボトムシャーシにビス止めしたことを
特徴とする請求項２〜４のいずれかに記載のディスク装置。
【考案の詳細な説明】
【技術分野】
【０００１】
本考案は、例えばＤＶＤレコーダやＤＶＤプレーヤなどのディスク装置に関し、特に、
防塵機能を備え安価な構造で組立容易なものである。
【背景技術】
【０００２】
従来、ディスク装置の一例として図８〜図１１に示すものがあり、これはＤＶＤレコー
ダであって、図８は同斜視図、図９は同縦断面図、図１０は同一部切欠き平面図、図１１
は同横断面図である。
【０００３】
図８〜図１１に示すように、ローダーシャーシ１が両側板１ａ，１ｂ及び前後両端板１
ｃ，１ｄを有し、各側板１ａ，１ｂの前後両端に脚部２が一体突設され、該各脚部２が筐
体３のボトムシャーシ３ａ上にビス４により止着され、前記各側板１ａ，１ｂの内側面か
ら前後両端板１ｃ，１ｄにかけて棚板５が一体突設され、該棚板５に複数のガイド突条６
が左右二列に分けて前後進ａ，ｂ方向に沿って所定間隔ごとに一体突設され、その各ガイ
ド突条６にディスクＤ載置用トレイ７が前後進ａ，ｂ可能に係合され、前記各側板１ａ，
１ｂの内側面に前後進ａ，ｂ方向に所定間隔をおいて複数の浮き上がり防止部８が設けら
れ、該各浮き上がり防止部８の下面がトレイ７の両側縁上面に接近されている。
【０００４】
図９及び図１１に示すように、前記ローダーシャーシ１内のトレイ７の下方にトラバー
スシャーシ１０と昇降体１１とが配置され、そのトラバースシャーシ１０の後部がゴムか
らなる後側弾性体１２を介してローダーシャーシ１の後部に上下動ｃ，ｄ可能に連結され
ると共に、該トラバースシャーシ１０の前部がゴムからなる前側弾性体１３を介して昇降
体１１に連結され、ローダーシャーシ１の前部に前後進ａ，ｂ方向とは直交する左右方向
ｅ，ｆに沿ってスライド可能に係合するカムスライダ１４が設けられ、該カムスライダ１
４のカム溝１５に前記昇降体１１のカムピン１６が嵌入されている。
【０００５】
図９〜図１１に示すように、前記トラバースシャーシ１０の前部にターンテーブル１８
付きスピンドルモータ１９が固定されると共に、該トラバースシャーシ１０の後部にガイ
ドレール２０を介して対物レンズＯＬ付き光ピックアップ２１がディスクＤの半径方向に
沿って移動可能に配置されている。
【０００６】
図８〜図１１に示すように、前記ターンテーブル１８に対向してローダーシャーシ１の
両側板１ａ，１ｂ間に架設した横桁２３の中央部にクランパ２４が一定範囲内昇降可能に
配置されている。なお、図９中、２５はトレイ７の中央開口部、２６はトレイ７に対向し
て筐体３のフロントパネル３ｂに形成したトレイ取出口であって、開閉ドア２７が配置さ
れている。
【０００７】
動作原理を説明すると、図９の実線はプレイモードを示しており、ローディング信号に
基づいてカムスライダ１４を矢印ｅ方向にスライドさせることにより、カム溝１５及びカ
ムピン１６を介して昇降体１１を上昇させるると共に、前側弾性体１３を介してトラバー
スシャーシ１０を上動ｃさせて水平姿勢とし、これによって、トレイ７上のディスクＤを
ターンテーブル１８で持ち上げ、該ターンテーブル１８とクランパ２４とでディスクＤを
クランプし、スピンドルモータ１９によりターンテーブル１８を介してディスクＤを高速
回転させ、該ディスクＤに記録されている情報を光ピックアップ２１により読み取り、映
像情報の再生または録画を行う。
【０００８】
トレイオープン時には、カムスライダ１４を矢印ｆ方向にスライドさせることにより、
カム溝１５及びカムピン１６を介して昇降体１１を下降させると共に、前側弾性体１３を
介してトラバースシャーシ１０を下動ｄさせて傾斜姿勢とし（図９仮想線参照）、これに
よって、ターンテーブル１８からトレイ７上にディスクＤを受け渡し、該トレイ７を前進
ａさせ、そのトレイ７上からディスクＤを取り出したり新たなディスクＤを載置する。な
お、関連する技術として特許文献１に記載したものがある。
【特許文献１】特開２００４−２５３１３０号公報
【考案の開示】
【考案が解決しようとする課題】
【０００９】
上記従来の構成では、図９に示すように、ディスクＤを高速回転させることにより発生
した空気流Ｅが筐体３内を対流してローダーシャーシ１内に吸い込まれるため、その空気
流Ｅにより運ばれた塵埃が対物レンズＯＬなどに付着して読み取りエラーが生じたり故障
の原因になったりするおそれがある。
【００１０】
そこで、図８に仮想線で示すように、ローダーシャーシ１の上下両開口部を前後２枚の
天板２８ａ，２８ｂ及び底板２８ｃで塞ぐことが考えられるが、これでは、その各板２８
ａ〜２８ｃをローダーシャーシ１に取り付けて組み立てるのに手間と時間がかかると共に
、部品点数が増えてコストアップになる。
【００１１】
本考案は、上記従来の欠点に鑑み、防塵機能を備え安価な構造で組立容易なディスク装
置を提供することを目的としている。
【課題を解決するための手段】
【００１２】
上記目的を達成するため、請求項１に記載の考案は、筐体のボトムシャーシ上に脚部付
きローダーシャーシがビス止めされ、該ローダーシャーシにディスク載置用トレイが前後
進可能に配置されると共に、そのローダーシャーシ内のトレイの下方に光ピックアップと
ターンテーブルとを搭載したトラバースシャーシが上下動可能に配置されており、プレイ
モードで、ターンテーブルによりディスクを高速回転させ、該ディスクに記録されている
情報を光ピックアップにより読み取るようにしたディスク装置において、前記ローダーシ
ャーシが上側箱体と下側箱体とに上下２分割され、前記上側箱体が天板と該天板の両側縁
及び後端縁から折れ曲がって下方に延びる両側板及び後端板とからなり、該上側箱体の前
端面にトレイ挿通口が形成され、前記下側箱体が底板と該底板の両側縁及び前後両端縁か
ら折れ曲がって上方に延びる両側板及び前後両端板とからなり、該下側箱体の両側板及び
前後両端板の上端から側方に延びる棚板が一体形成され、前記上側箱体の一方側板にコ字
状枠が一体突設されると共に、該コ字状枠に対向して前記棚板に係合片が一体突設され、
前記上箱体の他方側板にビス挿通孔付き上側舌片が一体突設されると共に、該上側舌片に
対向して前記棚板にねじ孔付き下側舌片が一体突設されており、前記コ字状枠を係合片に
係合させると共に、上下両舌片を互いに当接または接近させることにより、棚板上に上側
箱体の両側板及び後端板が載置され、上側舌片のビス挿通孔を通って下側舌片のねじ孔に
ビスをねじ込むことにより、その上下両箱体が一体的に連結され、前記棚板に複数のガイ
ド突条が左右二列に分けて前後進方向に沿って所定間隔ごとに一体突設され、その各ガイ
ド突条にトレイが前後進可能に係合され、前記上側箱体の両側板と天板との間の各角部に
前後進方向に所定間隔をおいて該上側箱体内に突出する複数の浮き上がり防止部が設けら
れ、該各浮き上がり防止部の下面がトレイの両側縁上面に接近されていることを特徴とし
ている。
【００１３】
請求項２に記載の考案は、筐体のボトムシャーシ上に脚部付きローダーシャーシがビス
止めされ、該ローダーシャーシにディスク載置用トレイが前後進可能に配置されると共に
、そのローダーシャーシ内のトレイの下方に光ピックアップとターンテーブルとを搭載し
たトラバースシャーシが上下動可能に配置されており、プレイモードで、ターンテーブル
によりディスクを高速回転させ、該ディスクに記録されている情報を光ピックアップによ
り読み取るようにしたディスク装置において、前記ローダーシャーシが上側箱体と下側箱
体とに上下２分割され、前記上側箱体が天板と該天板の両側縁及び後端縁から折れ曲がっ
て下方に延びる両側板及び後端板とからなり、該上側箱体の前端面にトレイ挿通口が形成
され、前記下側箱体が底板と該底板の両側縁及び前後両端縁から折れ曲がって上方に延び
る両側板及び前後両端板とからなり、該下側箱体の両側板及び前後両端板の上端から側方
に延びる棚板が一体形成されており、該棚板上に上側箱体の両側板及び後端板が載置され
、その上下両箱体が連結手段により一体的に連結されていることを特徴としている。
【００１４】
請求項３に記載の考案は、請求項２に記載の考案において、前記棚板に複数のガイド突
条が左右二列に分けて前後進方向に沿って所定間隔ごとに一体突設され、その各ガイド突
条にトレイが前後進可能に係合され、前記上側箱体の両側板と天板との間の各角部に前後
進方向に所定間隔をおいて該上側箱体内に突出する複数の浮き上がり防止部が設けられ、
該各浮き上がり防止部の下面がトレイの両側縁上面に接近されていることを特徴としてい
る。
【００１５】
請求項４に記載の考案は、請求項２または３に記載の考案において、前記連結手段が、
前記上側箱体の一方側板に一体突設したコ字状枠及び該コ字状枠に対向して前記棚板に一
体突設した係合片と、前記上箱体の他方側板に一体突設したビス挿通孔付き上側舌片及び
該上側舌片に対向して前記棚板に一体突設したねじ孔付き下側舌片とを有しており、前記
コ字状枠を係合片に係合させると共に、上下両舌片を互いに当接または接近させることに
より、棚板上に上側箱体の両側板及び後端板が載置され、上側舌片のビス挿通孔を通って
下側舌片のねじ孔にビスをねじ込むことにより、その上下両箱体が一体的に連結されてい
ることを特徴としている。
【００１６】
請求項５に記載の考案は、請求項２〜４のいずれかに記載の考案において、前記連結手
段が、前記上側箱体の各側板から下方に延びて下側箱体の脚部に重合する延長板を有して
おり、その脚部と延長板とを一体的にボトムシャーシにビス止めしたことを特徴としてい
る。
【考案の効果】
【００１７】
請求項１に記載の考案は第１の実施の形態（図１〜図６参照）に対応するものであって
、これによれば、ローダーシャーシがほぼ密閉状態の上下両箱体により形成されているか
ら、そのローダーシャーシ内に空気流が吸い込まれない。従って、従来のようにローダー
シャーシ内に吸い込まれた空気流により運ばれた塵埃が光ピックアップの対物レンズなど
に付着して読み取りエラーが生じたり故障の原因になったりする事故を確実に防止するこ
とができる。
【００１８】
また、ローダーシャーシが上下両箱体の２部品からなっており、従来のようにローダー
シャーシの上下両開口部を天板と底板とで塞ぐ場合に比べて、その部品点数が少ないから
、コストダウンを図ることができる。
【００１９】
更に、棚板上の各ガイド突条にトレイを係合させた後、上側箱体を棚板上に被せるだけ
で、該上側箱体の各浮き上がり防止部の下面をトレイの両側縁上面に接近させて該トレイ
を前後進可能に上下両箱体間に組み込むことができ、その組立作業を迅速容易に行うがで
きる。
【００２０】
しかも、上箱体のコ字状枠を下箱体の係合片に係合させると共に、該上箱体の上側舌片
を下箱体の下側舌片に当接または接近させることにより、棚板上に上箱体を載置し、上側
舌片のビス挿通孔を通って下側舌片のねじ孔にビスをねじ込むことにより、その上下両箱
体を簡単確実に連結することができる。
【００２１】
請求項２に記載の考案は基本形態に対応するものであって、これによれば、ローダーシ
ャーシがほぼ密閉状態の上下両箱体により形成されているから、そのローダーシャーシ内
に空気流が吸い込まれない。従って、従来のようにローダーシャーシ内に吸い込まれた空
気流により運ばれた塵埃が光ピックアップの対物レンズなどに付着して読み取りエラーが
生じたり故障の原因になったりする事故を確実に防止することができる。
【００２２】
また、ローダーシャーシが上下両箱体の２部品からなっており、従来のようにローダー
シャーシの上下両開口部を天板と底板とで塞ぐ場合に比べて、その部品点数が少ないから
、コストダウンを図ることができる。
【００２３】
請求項３に記載の考案によれば、棚板上の各ガイド突条にトレイを係合させた後、上側
箱体を棚板上に被せるだけで、該上側箱体の各浮き上がり防止部の下面をトレイの両側縁
上面に接近させて該トレイを前後進可能に上下両箱体間に組み込むことができ、その組立
作業を迅速容易に行うことができる。
【００２４】
請求項４に記載の考案によれば、上箱体のコ字状枠を下箱体の係合片に係合させると共
に、該上箱体の上側舌片を下箱体の下側舌片に当接または接近させることにより、棚板上
に上箱体を載置し、上側舌片のビス挿通孔を通って下側舌片のねじ孔にビスをねじ込むこ
とにより、その上下両箱体を簡単確実に連結することができる。
【００２５】
請求項５に記載の考案は第２の実施の形態（図７参照）に対応するものであって、これ
によれば、下箱体上に上箱体を載置して該上箱体の延長板を下箱体の脚部に重合させ、該
脚部と延長板とをビスでボトムシャーシに止着するだけで、その上下両箱体を簡単確実に
連結することができ、特に、下箱体をボトムシャーシに止着する手段と上下両箱体どうし
を連結する手段としてビスが兼用されており、その兼用している分だけ部品手数が少なく
なって、経済的である共に、連結作業を簡単容易に行うことができる。
【考案を実施するための最良の形態】
【００２６】
図１〜図６は本考案の第１の実施の形態であるディスク装置を示すものであり、これは
ＤＶＤレコーダであって、図１は同斜視図、図２は同ローダーシャーシの分解斜視図、図
３は同縦断面図、図４は同一部切欠き平面図、図５は同横断面図、図６は同要部の拡大横
断面図である。
【００２７】
図１〜図５に示すように、ローダーシャーシ１が上箱体１Ａと下箱体１Ｂとに上下２分
割され、その両箱部１Ａ，１Ｂを係止するための連結手段２９が設けられている。
【００２８】
図２及び図４に示すように、前記上箱体１Ａは、天板３０と該天板３０の両側縁及び後
端縁から下向きに直角に折れ曲がって下方に延びる両側板３１，３２及び後端板３３とか
らなり、その前端面にトレイ挿通口３４が形成されている。
【００２９】
図２、図３及び図５に示すように、前記下箱体１Ｂは、底板３６と該底板３６の両側縁
及び前後両端縁から上向きに直角に折れ曲がって上方に延びる両側板３７，３８及び前後
両端板３９，４０とからなっている。
【００３０】
図２に示すように、前記下箱体１Ｂの両側板３７，３８及び前後両端板３９，４０の上
端から側方に延びる棚板５が一体形成されており、該棚板５上に上箱体１Ａの両側板３１
，３２及び後端板３３が載置され、その上下両箱体１Ａ，１Ｂが連結手段２９により一体
的に連結されている。
【００３１】
上記構成によれば、ローダーシャーシ１がほぼ密閉状態の上下両箱体１Ａ，１Ｂにより
形成されているから、そのローダーシャーシ１内に空気流Ｅ（図９参照）が吸い込まれな
い。従って、従来のようにローダーシャーシ１内に吸い込まれた空気流Ｅにより運ばれた
塵埃が光ピックアップ２１の対物レンズＯＬなどに付着して読み取りエラーが生じたり故
障の原因になったりする事故を確実に防止することができる。
【００３２】
また、前記ローダーシャーシ１が上下両箱体１Ａ，１Ｂの２部品からなっており、従来
のようにローダーシャーシ１の上下両開口部を天板２８ａ，２８ｂ及び底板２８ｃとで塞
ぐ場合に比べて（図８参照）、その部品点数が少ないから、コストダウンを図ることがで
きる。
【００３３】
図２及び図５に示すように、前記棚板５の上面に複数のガイド突条６が左右二列に分け
て前後進ａ，ｂ方向に沿って所定間隔ごとに一体突設され、その各ガイド突条６にトレイ
７が前後進ａ，ｂ可能に係合され、前記上箱体１Ａの両側板３１，３２と天板３０との間
の各角部に前後進ａ，ｂ方向に所定間隔をおいて該上箱体１Ａ内に突出する複数の横断面
略Ｌ字状浮き上がり防止部４２が設けられ、該各浮き上がり防止部４２の下面４２ａがト
レイ７の両側縁上面に接近されている。
【００３４】
上記構成によれば、棚板５上の各ガイド突条６にトレイ７を係合させた後、上箱体１Ａ
を棚板５上に被せるだけで、該上箱体１Ａの各浮き上がり防止部４２の下面４２ａをトレ
イ７の両側縁上面に接近させて該トレイ７を前後進ａ，ｂ可能に上下両箱体１Ａ，１Ｂ間
に組み込むことができ、その組立作業を迅速容易に行うができる。
【００３５】
図２及び図６に示すように、前記連結手段２９が、前記上箱体１Ａの一方側板３１に一
体突設した前後一対のコ字状枠４３及び該コ字状枠４３に対向して前記棚板５に一体突設
した前後一対の係合片４４と、前記上箱体１Ａの他方側板３２に一体突設した前後一対の
ビス挿通孔４５ａ付き上側舌片４５及び該上側舌片４５に対向して前記棚板５に一体突設
した前後一対のねじ孔４６ａ付き下側舌片４６とを有している。
【００３６】
上記構成において、各コ字状枠４３を各係合片４４に係合させると共に、上下両舌片４
５，４６を互いに当接または接近させることにより、棚板５上に上箱体１Ａの両側板３１
，３２及び後端板３３が載置され、各上側舌片４５のビス挿通孔４５ａを通って各下側舌
片４６のねじ孔４６ａにビス４７をねじ込むことにより、その上下両箱体１Ａ，１Ｂが一
体的に連結されており、その上下両箱体１Ａ，１Ｂの連結作業を簡単確実に行うことがで
きる。
【００３７】
図２及び図３に示すように、天板３０の前側中央に円筒状クランパ収納部４８が一体突
設されており、該クランパ収納部４８内にクランパ２４が一定範囲内昇降可能に配置され
ている。なお、４９はクランパ収納部４８の上端開口部に嵌合させた上蓋である。上記以
外の構成は図８〜図１１に示す構成とほぼ同じであるから、同一部分に同一符号を付して
その説明を省略する。
【００３８】
図７は本考案の第２の実施の形態であるディスク装置の要部を示すものであって、図７
（ａ）は同要部の拡大横断面図、図７（ｂ）はＡ−Ａ矢視図である。
【００３９】
図７において、連結手段２９が、上箱体１Ａの各側板３１，３２の前後両端から下方に
延びて下箱体１Ｂの各脚部２に重合する横断面略Ｌ字状延長板５１を有しており、その各
脚部２及び長板５１の互いに重合する底板２ａ，５１ａのビス挿通孔５２，５３を通って
ボトムシャーシ３ａのねじ孔５４にビス４をねじ込むことにより、上下両箱体１Ａ，１Ｂ
をボトムシャーシ３ａに止着している。上記以外の構成は図１〜図６に示す構成とほぼ同
じであるから、同一部分に同一符号を付してその説明を省略する。
【００４０】
上記構成によれば、下箱体１Ｂ上に上箱体１Ａを載置して該上箱体１Ａの各延長板５１
を下箱体１Ｂの各脚部２に重合させ、該脚部２と各延長板５１とをビス４でボトムシャー
シ３ａに止着するだけで、その上下両箱体１Ａ，１Ｂを簡単確実に連結することができ、
特に、下箱体１Ｂをボトムシャーシ３ａに止着する手段と上下両箱体１Ａ，１Ｂどうしを
連結する手段としてビス４が兼用されており、その兼用している分だけ部品手数が少なく
なって、経済的である共に、連結作業を簡単容易に行うことができる。
【図面の簡単な説明】
【００４１】
【図１】本考案の第１の実施の形態であるディスク装置の斜視図である。
【図２】同ローダーシャーシの分解斜視図である。
【図３】同縦断面図である。
【図４】同一部切欠き平面図である。
【図５】同横断面図である。
【図６】同要部の拡大横断面図である。
【図７】（ａ）は本考案の第２の実施の形態であるディスク装置を示す要部の拡大横断面図、（ｂ）はＡ−Ａ矢視図である。
【図８】従来例の斜視図である。
【図９】同縦断面図である。
【図１０】同一部切欠き平面図である。
【図１１】同横断面図である。
【符号の説明】
【００４２】
１          ローダーシャーシ
１Ａ        上箱体
１Ｂ        下箱体
２          脚部
３          筐体
３ａ        ボトムシャーシ
４          ビス
５          棚板
６          ガイド突条
７          トレイ
１０        トラバースシャーシ
１８        ターンテーブル
２１        光ピックアップ
２９        連結手段
３０        上箱体の天板
３１、３２  上箱体の側板
３３        上箱体の後端板
３４        上箱体のトレイ挿通口
３６        下箱体の底板
３７、３８  下箱体の側板
３９、４０  下箱体の前後両端板
４２        浮き上がり防止部
４３        コ字状枠
４４        係合片
４５        上側舌片
４５ａ      上側舌片のビス挿通孔
４６        下側舌片
４６ａ      下側舌片のねじ孔
４７        ビス
５１        延長板
Ｄ          ディスク
【図１】
0003130309.tif 000003
【図２】
0003130309.tif 000004
【図３】
0003130309.tif 000005
【図４】
0003130309.tif 000006
【図５】
0003130309.tif 000007
【図６】
0003130309.tif 000008
【図７】
0003130309.tif 000009
【図８】
0003130309.tif 000010
【図９】
0003130309.tif 000011
【図１０】
0003130309.tif 000012
【図１１】
0003130309.tif 000013